(57)【要約】【課題】  現地の機器管理装置における機器の識別情報が変更されても、集中監視センターにおいて機器を継続して管理することができる機器管理システムを提供する.【解決手段】  機器管理システム１は、機器管理装置２と、集中監視センターシステム３とを備えている。機器管理装置２は、複数の機器５，７，８，９に接続されている。機器管理装置２は、所属関連情報によって機器５，７，８，９を個別に特定して制御を行う。集中監視センターシステム３は、機器管理装置２に接続されている。集中監視センターシステム３は、機器固有情報によって機器５，７，８，９を個別に特定して機器５，７，８，９の集中監視を行う。【選択図】      図１
2006285353.tif 000002
【特許請求の範囲】
【請求項１】
複数の機器（５、７、８、９）に接続され、第１識別情報によって前記機器（５、７、８、９）を個別に特定して制御を行う機器管理装置（２）と、
前記機器管理装置（２）に接続され、前記第１識別情報と異なる第２識別情報によって前記機器（５、７、８、９）を個別に特定して前記機器（５、７、８、９）の集中監視を行う集中監視装置（３）と、
を備えている、機器管理システム（１）。
【請求項２】
前記第１識別情報は、前記機器（５、７、８、９）の所属に関する所属関連情報を含む、
請求項１に記載の機器管理システム（１）。
【請求項３】
前記機器管理装置（２）は、前記機器（５、７、８、９）を管理するユニット（１２）を有している、
請求項２に記載の機器管理システム（１）。
【請求項４】
前記所属関連情報は、前記機器（５、７、８、９）を管理する前記ユニット（１２）にそれぞれ付与されたユニット識別情報を含む、
請求項３に記載の機器管理システム（１）。
【請求項５】
前記ユニット（１２）は、前記機器（５、７、８、９）に接続されたライン（６）を有しており、
前記所属関連情報は、前記ライン（６）に対応するライン識別情報を含む、
請求項３に記載の機器管理システム（１）。
【請求項６】
前記所属関連情報は、前記ライン（６）における前記機器（５、７、８、９）のアドレスに対応するアドレス識別情報を含む、
請求項５に記載の機器管理システム（１）。
【請求項７】
前記第２識別情報は、前記機器（５、７、８、９）の固有の情報である、
請求項１に記載の機器管理システム（１）。
【請求項８】
前記機器（５、７、８、９）の固有の情報は、前記機器（５、７、８、９）の所属から独立している、
請求項７に記載の機器管理システム（１）。
【請求項９】
前記機器（５、７、８、９）の固有の情報は、前記機器（５、７、８、９）のそれぞれに付与されている機器識別情報を含む、
請求項７に記載の機器管理システム（１）。
【請求項１０】
前記第２識別情報は、前記機器（５、７、８、９）の種別に関する種別識別情報を含む、
請求項７から９のいずれかに記載の機器管理システム（１）。
【請求項１１】
前記集中監視装置（３）は、前記機器（５、７、８、９）のそれぞれの運転に関連する運転関連情報を記憶する運転関連情報データベース（１５）をさらに有する、
請求項１から１０のいずれかに記載の機器管理システム（１）。
【請求項１２】
前記運転関連情報は、前記機器（５、７、８、９）のそれぞれの運転データ、稼働時間、および運転回数のうちの少なくとも１つを含む、
請求項１１に記載の機器管理システム（１）。
【請求項１３】
前記第１識別情報と前記第２識別情報とを対応付ける識別情報対応付け部（２１）をさらに備えている、
請求項１に記載の機器管理システム（１）。
【発明の詳細な説明】
【技術分野】
【０００１】
本発明は、機器管理システムに関し、とくに、複数の機器を遠隔監視する機器管理システムに関する。
【背景技術】
【０００２】
従来、建物内に設置された複数の設備機器を集中監視センター（集中監視装置）で遠隔監視している。集中監視センターでは、機器の特定を、機器に接続された設備管理機器ごとに設定された識別情報によって行っている。したがって、遠隔監視する集中監視センターおよび現地の設備管理機器は、共通の識別情報によって、機器を特定している。
共通の識別情報は、機器の所属に関する情報（設備管理機器ごとに設定されているユニット番号、ライン番号、アドレス）と、機器に固有の情報（機種、機番）とから構成されている。このうち、機器の所属に関する情報は、機器に接続された設備管理機器にとって、機器を管理するために必要な情報である。
【０００３】
特許文献１に記載の方法では、試運転ツールを用いて機器を特定し、設備管理機器および集中監視センターにおいて、共通の識別情報で登録している。
【特許文献１】特開２００４−１５７４７号公報
【発明の開示】
【発明が解決しようとする課題】
【０００４】
しかし、集中監視センターおよび設備管理機器は、共通の識別情報によって機器を特定している。そのため、機器の配置が変更になって、現地の機器管理装置が機器を特定するための識別情報を変更しなくてはいけない場合には、集中監視センター側でも、新たな機器として登録する必要がある。そのため、集中監視センターにおいて同一の機器であっても継続して管理することができなくなる。
【０００５】
本発明の課題は、現地の機器管理装置における機器の識別情報が変更されても、集中監視センターにおいて機器を継続して管理することができる機器管理システムを提供することにある。
【課題を解決するための手段】
【０００６】
第１発明の機器管理システムは、機器管理装置と、集中監視装置とを備えている。機器管理装置は、複数の機器に接続されている。機器管理装置は、第１識別情報によって前記機器を個別に特定して制御を行う。集中監視装置は、機器管理装置に接続されている。集中監視装置は、第２識別情報によって前記機器を個別に特定して前記機器の集中監視を行う。第２識別情報は、第１識別情報と異なる。
【０００７】
ここでは、機器管理装置および集中監視装置が異なる識別情報で機器を特定しているので、機器の配置が変更になって、機器管理装置が機器を特定するための第１識別情報を変更しなくてはいけない場合においても、集中監視装置側では、機器は継続して管理される。
【０００８】
第２発明の機器管理システムは、第１発明の機器管理システムであって、前記第１識別情報は、所属関連情報を含む。所属関連情報は、機器の所属に関する。
ここでは、機器管理装置が機器を特定するために用いる第１識別情報として、所属関連情報が用いられる。
第３発明の機器管理システムは、第２発明の機器管理システムであって、機器管理装置は、ユニットを有している。ユニットは、機器を管理する。
ここでは、機器管理装置は、ユニットによって機器を管理する。
【０００９】
第４発明の機器管理システムは、第３発明の機器管理システムであって、所属関連情報は、ユニット識別情報を含む、ユニット識別情報は、機器を管理するユニットにそれぞれ付与される。
ここでは、ユニット識別情報が所属関連情報に含まれているので、ユニット識別情報を用いて、機器が特定される。
【００１０】
第５発明の機器管理システムは、第３発明の機器管理システムであって、前記ユニットは、ラインを有している。ラインは、機器に接続されている。所属関連情報は、ライン識別情報を含む。ライン識別情報は、ラインに対応する。
ここでは、ライン識別情報が所属関連情報に含まれているので、ライン識別情報を用いて、機器が特定される。
【００１１】
第６発明の機器管理システムは、第５発明の機器管理システムであって、所属関連情報は、アドレス識別情報を含む。アドレス識別情報は、ラインにおける機器のアドレスに対応する。
ここでは、アドレス識別情報が所属関連情報に含まれているので、アドレス識別情報を用いて、機器が特定される。
【００１２】
第７発明の機器管理システムは、第１発明の機器管理システムであって、第２識別情報は、機器の固有の情報を含む。
ここでは、集中監視装置が機器を特定するために用いる第２識別情報として、機器の固有の情報が用いられる。
【００１３】
第８発明の機器管理システムは、第７発明の機器管理システムであって、機器の固有の情報は、機器の所属から独立している。
ここでは、集中監視装置が機器を特定するために用いる機器の固有の情報は、機器の所属から独立している。
第９発明の機器管理システムは、第７発明の機器管理システムであって、機器の固有の情報は、機器識別情報を含む、機器識別情報は、機器のそれぞれに付与されている。
ここでは、機器識別情報が機器の固有の情報に含まれているので、機器識別情報を用いて、機器が特定される。
【００１４】
第１０発明の機器管理システムは、第７発明から第９発明のいずれかの機器管理システムであって、第２識別情報は、種別識別情報を含む。種別識別情報は、機器の種別に関する。
ここでは、種別識別情報が機器の固有の情報に含まれているので、種別識別情報を用いて、機器が特定される。
【００１５】
第１１発明の機器管理システムは、第１発明から第１０発明のいずれかの機器管理システムであって、集中監視装置は、運転関連情報データベースをさらに有する、運転関連情報データベースは、運転関連情報を記憶する。運転関連情報は、機器のそれぞれの運転に関連する。
ここでは、集中監視装置が運転関連情報データベースを有しているので、運転関連情報データベースを用いて、運転関連情報を管理することができる。
【００１６】
第１２発明の機器管理システムは、第１１発明の機器管理システムであって、運転関連情報は、機器のそれぞれの運転データ、稼働時間、および運転回数のうちの少なくとも１つを含む。
ここでは、機器のそれぞれの運転データ、稼働時間、および運転回数が、運転関連情報として、運転関連情報データベースを用いて管理される。
【００１７】
第１３発明の機器管理システムは、第１発明の機器管理システムであって、識別情報対応付け部をさらに備えている、識別情報対応付け部は、第１識別情報と第２識別情報とを対応付ける。
ここでは、識別情報対応付け部によって、第１識別情報と第２識別情報とが対応付けられる。したがって、機器のユニーク性が保証され、正確な機器の特定が可能になる。
【発明の効果】
【００１８】
第１発明によれば、機器の配置が変更になって、機器管理装置が機器を特定するための第１識別情報を変更しなくてはいけない場合においても、集中監視装置側では、機器を継続して管理することができる。
第２発明によれば、機器管理装置は、所属関連情報を用いて機器を特定することができる。
【００１９】
第３発明によれば、機器管理装置は、ユニットによって機器を管理することができる。
第４発明によれば、機器管理装置は、ユニット識別情報を用いて、機器を特定することができる。
第５発明によれば、機器管理装置は、ライン識別情報を用いて、機器を特定することができる。
【００２０】
第６発明によれば、機器管理装置は、アドレス識別情報を用いて、機器を特定することができる。
第７発明によれば、集中監視装置は、機器の固有の情報を用いて、機器を特定することができる。
第８発明によれば、集中監視装置は、機器の所属から独立した機器の固有の情報を用いて、機器を特定することができる。
【００２１】
第９発明によれば、集中監視装置は、機器識別情報を用いて、機器を特定することができる。
第１０発明によれば、集中監視装置は、種別識別情報を用いて、機器を特定することができる。
第１１発明によれば、運転関連情報データベースを用いて、運転関連情報を管理することができる。
【００２２】
第１２発明によれば、機器のそれぞれの運転データ、稼働時間、および運転回数を、運転関連情報データベースを用いて管理することができる。
第１３発明によれば、機器のユニーク性を保証することができ、正確な機器の特定を行うことができる。
【発明を実施するための最良の形態】
【００２３】
＜機器管理システム１の構成＞
図１に示されるように、機器管理システム１は、複数の機器を遠隔監視するためのシステムであり、主要な構成として、設備管理装置である空調システム監視制御用コントローラ（以下、コントローラという）２と、集中監視装置３とを備えている。
コントローラ２は、複数の空調機器４および電気設備５に接続され、複数の空調機器４および電気設備５の運転を制御および監視する。コントローラ２は、複数の空調機器４および電気設備５にライン６を介して通信可能に接続されている。空調機器４は、室外機７および室内機８、９を有している。電気設備５は、受変電設備または照明設備などの電気に関連する設備である。コントローラ２は、複数の空調機器４および電気設備５の管理を行う。
集中監視装置３は、複数の空調機器４および電気設備５が設置された建物から遠隔にある集中監視センターに設けられている。集中監視装置３は、複数の空調機器４および電気設備５を遠隔監視するために、インターネットなどの通信網１０を介して、コントローラ２に通信可能に接続されている。
試運転ツール１１は、機器管理システム１の試運転を行うときにコントローラ２に接続され、複数の空調機器４および電気設備５の配置を特定する。
【００２４】
＜コントローラ２の構成＞
図２に示されるように、コントローラ２は、複数のユニット１２と、制御部１３と、記憶部１４とを備えている。
【００２５】
ユニット１２は、管理対象である空調機器４および電気設備５を管理する。複数のユニット１２のそれぞれには、ユニット１２を識別するための各ユニットに対応するユニット番号（Ｂ−１、Ｂ−２、・・・）が付与されている。なお、ユニット１２は、１つでも複数でもよい。
また、ユニット１２は、複数のライン６を有している。ライン６には、空調機器４および電気設備５が接続されている。複数のライン６のそれぞれには、ライン６を識別するための各ラインに対応するライン番号（Ｌ−１、Ｌ−２、・・・）が付与されている。なお、ライン６は、１本でも複数本でもよい。
【００２６】
さらに、ライン６には、図１に示されるように、それぞれのライン６において空調機器４の室外機７と室内機８，９、および電気設備５のアドレスを識別するための各アドレスに対応するアドレス番号（Ａ−１、Ａ−２、Ａ−３、Ａ−４、・・・）が付与されている。
制御部１３は、空調機器４および電気設備５の運転を制御および監視するＣＰＵである。また、制御部１３は、コントローラ２の内部の各構成要素（ユニット１２、および記憶部１４）の動作を制御する。
【００２７】
記憶部１４は、機器を特定するための第１識別情報として、所属関連情報ＩＦ１を記憶している。所属関連情報ＩＦ１は、ユニット番号（Ｂ−１、Ｂ−２、・・・）、ライン番号（Ｌ−１、Ｌ−２、・・・）、およびアドレス番号（Ａ−１、Ａ−２、Ａ−３、Ａ−４、・・・）を含む。
また、記憶部１４は、所属関連情報ＩＦ１と機器固有情報ＩＦ２（図３参照）との対応関係を示す対応表Ｔを記憶している。
＜集中監視装置３の構成＞
図３に示されるように、集中監視装置３は、運転関連情報データベース１５と、制御部１６と、記憶部１７と、表示部１８とを備えている。
【００２８】
運転関連情報データベース１５は、空調機器４および電気設備５のそれぞれの運転に関連する運転関連情報を記憶する。
運転関連情報は、空調機器４および電気設備５それぞれの運転データ、稼働時間、および運転回数のうちの少なくとも１つを含む。
制御部１６は、空調機器４および電気設備５の運転を遠隔制御および遠隔監視するＣＰＵである。また、制御部１６は、集中監視装置３の内部の各構成要素（運転関連情報データベース１５、記憶部１７、および表示部１８）の動作を制御する。
【００２９】
記憶部１７は、機器を特定するための第２識別情報として、機器固有情報ＩＦ２を記憶している。機器固有情報ＩＦ２は、空調機器４および電気設備５機器の種別に関する機種（ＡＡＡＡ、ＢＢＢＢ、ＣＣＣＣ、・・・）、および機器固有の番号である機番（１１１１、２２２２、３３３１、３３３２、・・・）を含む。
機器固有情報ＩＦ２は、空調機器４および電気設備５などの機器の所属に関係する所属関連情報ＩＦ１と異なり、機器固有の情報から構成されている。したがって、機器固有情報ＩＦ２は、複数の空調機器４（室外機７および室内機８，９）および電気設備５の所属（具体的には、ユニット、ライン、アドレスに関するそれぞれの所属）から独立している。
また、記憶部１７は、コントローラ２側の記憶部１４と同様に、所属関連情報ＩＦ１と機器固有情報ＩＦ２との対応関係を示す対応表Ｔを記憶している。
【００３０】
＜試運転ツール１１の構成＞
試運転ツール１１は、図１に示されるように、識別情報対応付け部２１を有している。識別情報対応付け部２１は、所属関連情報ＩＦ１と機器固有情報ＩＦ２とを対応付け、それらの対応関係に基づいて、対応表Ｔを生成する。
試運転ツール１１は、機器管理システム１の試運転時にコントローラ２に接続され、試運転が終了した後にコントローラ２から取り外される。
【００３１】
＜試運転ツール１１を用いた機器の特定＞
機器管理システム１の試運転時に、試運転ツール１１をコントローラ２に接続して、コントローラ２に接続されている機器を特定する。
【００３２】
試運転ツール１１は、複数の空調機器４（室外機７および室内機８，９）および電気設備５から送信される機器固有情報ＩＦ２、すなわち、機種（ＡＡＡＡ、ＢＢＢＢ、・・・）および機番（１１１１、２２２２、・・・）を、コントローラ２を介して取得する。それとともに、試運転ツール１１は、コントローラ２から送信される所属関連情報ＩＦ１、すなわち、ユニット番号（Ｂ−１、Ｂ−２、・・・）、ライン番号（Ｌ−１、Ｌ−２、・・・）、およびアドレス番号（Ａ−１、Ａ−２、・・・）を取得する。所属関連情報ＩＦ１は、コントローラ２の記憶部１４に記憶され、コントローラ２に接続されている機器の特定に利用される。
【００３３】
ついで、試運転ツール１１は、識別情報対応付け部２１によって、所属関連情報ＩＦ１と機器固有情報ＩＦ２とを対応付けて、対応表Ｔを生成する。これにより、複数の空調機器４（室外機７および室内機８，９）および電気設備５のそれぞれは、所属関連情報ＩＦ１および機器固有情報ＩＦ２によって特定される。すなわち、試運転ツール１１によって、複数の空調機器４（室外機７および室内機８，９）および電気設備５のそれぞれのユニーク性（あるいは独自性）が保証される。
【００３４】
そののち、機器固有情報ＩＦ２および対応表Ｔは、集中監視装置３へ送信される。また、対応表Ｔは、コントローラ２の記憶部１４にも記憶される。
さらに、本実施形態では、付属情報として、所属関連情報ＩＦ１も集中監視装置３へ送信される。集中監視装置３の表示部１８には、図４に示されるように、所属関連情報ＩＦ１および機器固有情報ＩＦ２が同時に表示される。
集中監視装置３では、機器固有情報ＩＦ２に基づいて、空調機器４および電気設備５のそれぞれの運転に関連する運転関連情報が運転関連情報データベース１５に記憶され、継続して管理される。したがって、空調機器４および電気設備５の配置が変更になって、コントローラ２がこれらの機器を特定するための所属関連情報ＩＦ１を変更しなくてはいけない場合においても、運転関連情報に含まれる空調機器４および電気設備５それぞれの運転データ、稼働時間、および運転回数は、機器固有情報ＩＦ２に基づいて、集中監視装置３において継続して管理される。
【００３５】
＜実施形態の特徴＞
（１）
実施形態の機器管理システム１では、コントローラ２に接続された集中監視装置３が、コントローラ２が機器を特定するために用いる所属関連情報ＩＦ１と異なる機器固有情報ＩＦ２によって機器を個別に特定し、機器の集中監視を行っている。そのため、機器の配置が変更になって、コントローラ２が機器を特定するための所属関連情報ＩＦ１を変更しなくてはいけない場合においても、集中監視装置３側では、機器固有情報ＩＦ２を用いて、機器を継続して管理することができる。
例えば、図１に示される室内機８および室内機９の配置を入れ替えた場合には、室内機８および室内機９のそれぞれについての所属関連情報ＩＦ１（具体的には、アドレス）は、変更される。しかし、集中監視装置３側では、室内機８および室内機９のそれぞれについての機器固有情報ＩＦ２は変わらない。したがって、室内機８および室内機９は、機器固有情報ＩＦ２を用いて、集中監視装置３において継続して管理される。
【００３６】
（２）
実施形態の機器管理システム１では、コントローラ２が所属関連情報ＩＦ１によって機器を個別に特定して制御を行っているので、機器の所属に基づいて機器を管理することができる。
（３）
実施形態の機器管理システム１では、所属関連情報ＩＦ１は、機器の所属に関連するユニット番号、ライン番号、およびアドレスをそれぞれ含んでいる。これらのユニット番号、ライン番号、およびアドレスによって、機器のそれぞれは、正確に特定される。なお、機器の個数によるが、ユニット番号、ライン番号、およびアドレスうちの少なくとも１つによって、機器を特定することも可能である。
（４）
実施形態の機器管理システム１では、コントローラ２は、複数のユニット１２を有しているので、それぞれのユニット１２によって機器を管理することができる。なお、ユニット１２の数は、本発明ではとくに限定しておらず、１つまたは複数であってもよく、管理対象である機器の個数や種類によって、ユニット１２の数を変更すればよい。
（５）
実施形態の機器管理システム１では、集中監視装置３は、機器固有情報ＩＦ２に基づいて、空調機器４および電気設備５のそれぞれの運転に関連する運転関連情報を運転関連情報データベース１５に記憶し、継続して管理する。
したがって、運転関連情報に含まれる空調機器４および電気設備５それぞれの運転データ、稼働時間、および運転回数は、機器固有情報ＩＦ２に基づいて継続して管理される。そのため、それぞれの機器に異常が生じた場合でも、継続して管理される運転管理情報に基づいて、正確に異常を分析して対処することができる。また、空調機器４および電気設備５の交換時期、またはそれらの部品の交換時期なども、継続して管理される運転管理情報に基づいて、正確に予測することができる。
（６）
実施形態の機器管理システム１では、機器固有情報ＩＦ２は、機器の固有の機種および機番をそれぞれ含んでいる。これらの機種および機番によって、機器のそれぞれは、機器の所属と独立して、正確に特定される。なお、機番のみでも機器を特定することは可能である。さらに、機器の個数によるが、機種のみによっても、機器を特定することも可能である。
（７）
実施形態の機器管理システム１では、試運転ツール１１の識別情報対応付け部２１によって、所属関連情報ＩＦ１と機器固有情報ＩＦ２とが対応付けられることにより、機器のユニーク性（独自性）が保証され、機器の特定が正確に行われる。
【００３７】
＜実施形態の変形例＞
（Ａ）
上記実施形態では、対応表Ｔは、コントローラ２側の記憶部１４、および集中監視装置３側の記憶部１７の両方に記憶されているが、本発明はこれに限定されるものではなく、記憶部１４および記憶部１７のうちのいずれか一方に記憶されていればよい。
（Ｂ）
上記実施形態では、集中監視装置３の記憶部１７に、機器固有情報ＩＦ２および対応表Ｔが記憶されているが、本発明はこれに限定されるものではない。さらに、記憶部１７に、付属情報として、所属関連情報ＩＦ１も記憶部１７に記憶されてもよい。
【産業上の利用可能性】
【００３８】
本発明の機器操作システム１は、上記の実施形態のように、建物内の空調機器４および電気設備５の遠隔監視ために採用され得るが、本発明はこれに限定されるものではない。さらに、本発明は、複数の機器の遠隔監視であれば、あらゆる分野において採用され得る。例えば、家電機器等の遠隔監視にも本発明は採用され得る。
【図面の簡単な説明】
【００３９】
【図１】本発明の一実施形態に係わる機器管理システムの構成図。
【図２】図１のコントローラの構成を示すブロック図。
【図３】図１の集中監視装置の構成を示すブロック図。
【図４】図３の表示部における所属関連情報および機器固有情報の表示例を示す図。
【符号の説明】
【００４０】
１  機器管理システム
２  コントローラ
３  集中監視装置
４  空調機器
５  電気設備
６  ライン
１２  ユニット
【図１】
2006285353.tif 000003
【図２】
2006285353.tif 000004
【図３】
2006285353.tif 000005
【図４】
2006285353.tif 000006